(57)【特許請求の範囲】
【請求項１】
停止階ドアがドア開口の対応する側面または表面に固定されるように構成される２つの脇柱と１つの横材とによるドアフレームを有する、昇降機の停止階ドアのための耐火トリムにおいて、該耐火トリムは、
前記各脇柱と前記ドアフレームの横材とについて、
不燃性の材料、特に金属による耐火異形要素であって、実質的にＬ字型の断面を有し、該断面の第一の腕は、前記脇柱または前記横材の停止階に面している表面に抗してあてがわれ、かつ、固定されるように構成され、前記断面の第二の腕は、ドア開口の対応する面に隣接して配置されるように構成される耐火異形要素と、
前記耐火異形要素の正面に位置するように構成された溝型の断面を有する異形被覆要素であって、該断面の溝は前記耐火要素に面し、前記被覆要素は、前記脇柱または前記横材の停止階に面している表面を圧するように構成される第一の腕、および前記耐火要素の第二の腕と前記ドア開口の対応する面との間で押圧固定されるように構成される第二の腕を有する異形被覆要素と、
前記ドアフレームの前記脇柱または前記横材に装着が可能であって、前記被覆要素の第二の腕を前記ドア開口の対応する面に抗して締め付ける固定手段とを含むことを特徴とする昇降機の停止階ドアのための耐火トリム。
【請求項２】
請求項１に記載のトリムにおいて、前記各被覆要素の第二の腕は、該腕の終端が前記耐火要素の第二の腕を越えて昇降機空間または昇降路に向かって突出する部分を有し、前記固定手段は、ドアのそれぞれの前記脇柱または前記横材と対応するボルトを含み、該ボルトの終端は、前記被覆要素の第二の腕の部分であって前記耐火要素の第二の腕を越えて突出する部分を圧することを特徴とする耐火トリム。
【請求項３】
請求項１または２に記載のトリムにおいて、前記各耐火要素は、長手方向に細長い複数の穴を有し、該穴を通って、前記耐火要素を前記ドアフレームの対応する前記脇柱または前記横材に接続するねじ固定要素が伸びていることを特徴とする耐火トリム。
【発明の詳細な説明】
【０００１】
【発明の属する技術分野】
本発明は、昇降機の停止階ドアのための耐火トリム、特に、２つの側柱または脇柱と、上方の１つの交差要素すなわち横材とによるフレームであって、ドア開口の対応する側面または表面に固定されるように構成されたフレームを有する停止階ドアのための耐火トリムに関するものである。
【０００２】
【発明が解決しようとする課題】
本発明は、フレームの脇柱および横材とドア開口の側面または表面との間の領域における効果的な耐火機能を確保するためのトリムであって、また、製造するのが簡単かつ経済的であり、設置が容易で、外観が審美的なトリムを提供することを目的とする。
【０００３】
【課題を解決するための手段】
本発明によれば、上述の目的は、次のようなトリムによって達成される。すなわち本発明に係るトリムは、ドアフレームの各脇柱および横材について、不燃性の材料、特に金属による耐火異形要素であって、実質的にＬ字型の断面を有し、その断面の第一の腕は、脇柱または横材の停止階に面している表面に抗してあてがわれ、かつ、固定されるように構成され、その断面の第二の腕は、ドア開口の対応する面に隣接して配置されるように構成される耐火異形要素と、耐火要素の正面に位置するように構成された溝型の断面を有し、その溝は耐火要素に面し、脇柱または横材の停止階に面している表面を圧するように構成される第一の腕、および耐火要素の第二の腕とドア開口の対応する面との間で押圧固定されるように構成される第二の腕を有する異形被覆要素と、ドアフレームの脇柱または横材に装着が可能であって、被覆要素の第二の腕をドア開口の対応する面に抗して締め付ける固定手段とを含むことを特徴とする。
【０００４】
【発明の実施の形態】
次に添付図面を参照して、本発明による耐火トリムの更なる特徴と利点を、非制限的な実施例により理論的かつ詳細に説明する。
【０００５】
図２は昇降機の停止階ドアを示す。このドアは、２つの側柱または脇柱１、２と、上方の交差要素すなわち横材３とを有するフレームを含む。このフレームは、ドア開口の対応する側面および上方の面４、５、６に固定されている。
【０００６】
図２ではドアは、隣接する停止階Ｌから見たものとして示されている。
【０００７】
例示された実施態様によれば、ドアは２枚のスライドするパネル７、８を有する。
【０００８】
脇柱１、２と、それらに対応するドア開口の面４、５との間において、それぞれ、本発明による耐火トリムが存在する。同様のトリムが横材３とそれに対応するドア開口の上方の面６との間に配置される。
【０００９】
これらの耐火トリムのうちの１つのみを、以下において図１を参照して説明する。ここでは特に、脇柱１とそれに対応するドア開口の面４との間にはめ込まれたトリムについて説明する。ドアフレームの他の脇柱および横材と隣接する耐火トリムも、ここに示すものと同様の構造を有する。
【００１０】
図１を参照すると、本発明による耐火トリム10は、不燃性の材料、特に鋼による耐火異形要素11を含み、これは実質的にＬ字型の断面を有する。この要素11は、脇柱１の停止階に面している表面に抗してあてがわれ固定される第一の腕11a を有する。図３に見られるように、耐火要素11の第一の腕11a は、その利点として、長手方向に細長い複数の穴12を有する。この穴12を通って固定ねじ13（図１）が伸び、ねじ13は、耐火要素をドアフレームの対応する脇柱１に接続する。
【００１１】
耐火異形要素11は第二の腕11b を有しており、これは、昇降機シャフトすなわち昇降路Ｓに面していて、ドア開口の対応する面４に隣接して配置される（図１）。
【００１２】
異形被覆要素14は、実質的に溝型の断面を有し、耐火要素11の正面に、その溝が耐火要素に面するように配置される。
【００１３】
被覆要素14は、脇柱１の停止階に面している表面を圧する第一の腕14a と、耐火要素11の腕11b とドア開口の対応する面４との間で押圧固定される第二の腕14b とを有する。
【００１４】
図１に例示された実施態様において、被覆要素14の腕14b は、その終端が耐火要素11の腕11b を越えて昇降機シャフトすなわち昇降路Ｓに向かって突出する部分を有する。
【００１５】
ドアフレームの脇柱１は、対応する複数の固定ボルトを有し、それらのうちの１本のみを図１に示し、全体を15で表わす。これらのボルトは、それらの終端が、被覆要素14の腕14b の一部で耐火要素11の腕11b を越えて突出する部分を圧するようにねじ締めされる。これによって被覆要素14は、ドア開口の面４に抗して締め付けられる。
【００１６】
火事の際は、たとえドアとドアフレームが熱膨張の結果として変形しても、ドアフレームとドア開口の対応する面４〜６との間に生じた隙間または継ぎ目は、閉じられたままで保たれる。これは、固定ねじ13で係止された穴12が細長く、さらに、被覆要素14の腕14b がスライド面の役割を果たすことにより、耐火要素11がフレームに対してスライドできるためである。
【００１７】
言うまでもないが、以上の非制限的な例により理論的に記述されまた図示された発明について、本発明の原理を同一に保ちつつ、本発明の範囲を離れることなく、実施態様の形態および構成の詳細を広く変形可能である。
【００１８】
【発明の効果】
本発明による耐火トリムは、主として停止階から設置を行なうことができるため、設置が容易である。また非常に迅速かつ簡便に構成し、組み立てることができる。
【００１９】
加えて、設置時、トリムは審美的にも好ましい。
【図面の簡単な説明】
【図１】図２の直線II-II で切断した断面を矢印方向から見た拡大図である。
【図２】本発明による耐火トリムを備えた昇降機の停止階ドアの正面図である。
【図３】本発明によるトリムに含まれる耐火要素の一部を示す斜視図である。
【符号の説明】
１、２  脇柱
３  横材
４、５  ドア開口側面
６  ドア開口上面
７、８  ドアパネル
10  耐火トリム
11  耐火異形要素
11a 、11b   耐火異形要素の腕
12  穴
13  固定ねじ
14  異形被覆要素
14a 、14b   異形被覆要素の腕
15  固定ボルト
【図１】
0003869524.tif 000002
【図２】
0003869524.tif 000003
【図３】
0003869524.tif 000004